(57)【要約】【課題】プラテンローラを回転駆動するギヤの回転力を利用し、ファンの回転数および回転方向を変えることで効率よくプリンタの筐体内を冷却するラベルプリンタの冷却機構を提供すること。【解決手段】プリンタ筐体２と、プリンタ筐体２内に設けられたプラテンローラ３、およびこれを回転駆動するギヤを含んでなる駆動機構と、駆動機構のうち、いずれかのギヤから回転力を得て回転するファン１１を備え、プラテンローラ３を回転駆動したときにファン１１が回転し、正回転および逆回転のいずれの方向の回転も一方向に変換する回転変換機構２０を設けてプラテンローラ３の回転方向によらないで、一定方向にファン１１を回転させるよう構成した。【選択図】図２
2013223984.tif 000002
【特許請求の範囲】
【請求項１】
プリンタ筐体と、プリンタ筐体内に設けられたプラテンローラ、およびこれを回転駆動するギヤを含んでなる駆動機構と、前記駆動機構に、正回転および逆回転のいずれの方向の回転も一方向に変換する回転変換機構を設け、プラテンローラの回転方向によらないで、一定方向にファンを回転させるように構成してなるラベルプリンタの空冷機構。
【発明の詳細な説明】
【技術分野】
【０００１】
本発明は、プラテンローラを備えたプリンタの空冷機構に関し、特に、電池で稼働する携帯型（モービルタイプ）のラベルプリンタに用いて好適なプリンタの空冷機構に関する。
【背景技術】
【０００２】
一般的なラベルプリンタでは、サーマルヘッド、モータ、ＣＰＵなどの部品の温度上昇を抑えるために、空冷ファン等を用いた部品の冷却を必用とする場合がある。
【０００３】
しかし、モービルプリンタでは空冷ファンを収容するスペース確保が難しいことや、電池で動作するため使用できる電力の制限などから、部品の冷却を行うのでなく、部品の温度が一定以上になった場合、プリンタの動作を停止させる保護機能を設けて対応している。
【０００４】
このためモービルプリンタでは、保護機能のために連続発行可能な枚数に制限が生じる。
【０００５】
この問題を解消するため、ラベルプリンタを駆動するステッピングモータの回転軸にファンを設けた例が、特許文献１により知られている。
然るに、特許文献１のプリンタでは、ステッピングモータの回転軸にファンが直結しているので、ファンをステッピングモータの回転軸と同じ回転数、同じ回転方向にしか回転駆動できず、必ずしも効率的な冷却ができないものであった。
【先行技術文献】
【特許文献】
【０００６】
【特許文献１】特開２００９−１３１９９６号公報
【発明の概要】
【発明が解決しようとする課題】
【０００７】
本発明は以上のような問題にかんがみなされたもので、その目的とするところはプラテンローラを回転駆動するギヤの回転力を利用し、ファンの回転数および回転方向を変えることで効率よくプリンタ筐体内を空冷するラベルプリンタの空冷機構の提供にある。
【課題を解決するための手段】
【０００８】
上記課題を解決するため、本発明が採用する構成の特徴は、プリンタ筐体と、プリンタ筐体内に設けられたプラテンローラ、およびこれを回転駆動するギヤを含んでなる駆動機構と、前記駆動機構のうち、いずれかのギヤから回転力を得て回転するファンを備え、前記プラテンローラを回転駆動したときにファンが回転し、これにより生じた空気流により、プリンタ筐体内を空冷することにある。
【０００９】
また、上記駆動機構に、正回転および逆回転のいずれの方向の回転も一方向に変換する回転変換機構を設け、プラテンローラの回転方向によらないで、一定方向にファンを回転させるように構成するのが好ましい。
【発明の効果】
【００１０】
本発明によると、プリンタを稼働させる際にプラテンローラが回転するので、この回転力をギヤで回転数・回転方向を変換してファンを回し、効率よく空気を流通させ、プリンタ筐体内を空気冷却できる。
【００１１】
とくに第二の発明によれば、ラベルプリンタがカッターを作動させたり、台紙から糊付のラベルを剥離動作させる際に、ラベルを逆方向に搬送する（バックフィードする）場合にも、ファンを常に同じ方向に回転させることができるため、プリンタ筐体内に一定方向の空気流通を確保でき、効果的に空気冷却できる。
【図面の簡単な説明】
【００１２】
【図１】本発明の第一の実施例にかかるラベルプリンタの模式図である。
【図２】同、第二の実施例にかかるラベルプリンタの模式図である。
【図３】同、図２中の回転変換機構の動作説明図である。
【図４】同、図２中の回転変換機構の動作説明図である。
【図５】同、第三の実施例にかかるラベルプリンタの模式図である。
【発明を実施するための形態】
【００１３】
以下、本発明を実施するために好適な形態について、電池で駆動する携帯型（モービルタイプ）のラベルプリンタの実施例を三つあげて説明する。
【実施例】
【００１４】
図１に示すのは第一の実施例にかかるラベルプリンタである。
ラベルプリンタ１は、プリンタ筐体２内にプラテンローラ３が設けられ、プラテンローラ３とサーマルヘッド４との間に印字媒体としてのラベル（不図示）を通過させてこれに印字する。
【００１５】
プラテンローラ３は、順方向（正方向）に回転することでラベルを印字する方向に搬送する一方、逆方向に回転することでラベルを印字方向と逆の方向に引き戻す（バックフィードする）。
【００１６】
上記バックフィードはラベルプリンタに特有の動作であり、図示しないカッターを作動させたり、台紙からラベルを剥離動作させる際に行うものである。
【００１７】
５はラベルプリンタ１を動作させる電子回路で、該電子回路にはＣＰＵやメモリが搭載され、後述するモータの回転を制御し、プリンタ１が外部の機器と交信し、印字する情報を画像信号に変換してサーマルヘッド４に伝える動作を制御する。
【００１８】
６はモータで、駆動機構としての大ギヤ７、中ギヤ８、小ギヤ９を介してプラテンローラ３を回転駆動する。プラテンローラ３の回転軸１０にはファン１１が一体的に取り付けられ、プラテンローラ３と同時に回転する。
【００１９】
１２は電池であり、電子回路５、モータ６、サーマルヘッド４等に電力を供給する。
【００２０】
１３、１４は、プリンタ筐体に設けられた空気流通孔で、前記ファンが順方向に回転するときに図中の白抜き矢印で示す方向に空気を流通させ、ファンが逆方向に回転したときには矢印と逆方向に空気を流通させる。
【００２１】
本実施例は以上の如きもので、モータ６の回転を駆動機構（大ギヤ７ないし小ギヤ９）で回転数を増すように変換してファン１１を回すことで効率よく空気を流通させることができ、プリンタ筐体２内の空気流通をよくして効率的に冷却できるという効果を奏する。
【００２２】
次に、図２に第二の実施例にかかるラベルプリンタを示し、以後の説明では前述したのと同一の構成要素に同一の符号を付し、その説明を省略するものとする。
本実施例の特徴とするところは、駆動機構に正回転および逆回転のいずれの方向の回転も一方向に変換する回転変換機構２０を設けたことにある。
【００２３】
回転変換機構２０は、大ギヤ７に噛合するギヤ２１、ギヤ２１に噛合するギヤ２２、前記ギヤ２１と同軸上に設けられるワンウエイクラッチ２３、
前記ギヤ２２と同軸上に設けられるワンウエイクラッチ２４、
前記ワンウエイクラッチ２３と同軸上に設けられ、これと一体回転するギヤ２５、
前記ワンウエイクラッチ２４と同軸上に設けられ、これと一体回転するギヤ２６、
前記各ギヤ２５、２６の両方に噛合するギヤ２７とから構成され、ギヤ２７にはこれと同軸上に、これと一体回転するファン１１が結合されている。
【００２４】
次に図３，図４を用いて回転変換機構２０の動作について説明する。
大ギヤ７が図３の如く、回転変換機構２０のギヤ２１を時計方向に回転させたとする。
このとき、ギヤ２１に噛合するギヤ２２は反時計方向に回転し、前記ギヤ２１と同軸上に設けられるワンウエイクラッチ２３は滑る、
ギヤ２２と同軸上に設けられるワンウエイクラッチ２４は反時計方向に回転し、
ワンウエイクラッチ２３と同軸上に設けられ、これと一体回転するギヤ２５は後述するように、ギヤ２７によって反時計回りに回転するが、ワンウエイクラッチ２３が滑るのでこの動作は許容される。
ワンウエイクラッチ２４と同軸上に設けられ、これと一体回転するギヤ２６は反時計回りに回転し、ギヤ２７を時計回り方向に回転させる。
各ギヤ２５、２６の両方に噛合するギヤ２７は時計方向に回転され、これと一体回転するファン１１は時計方向に回転する。
【００２５】
次に、大ギヤ７が図４の如く、回転変換機構２０のギヤ２１を反時計方向に回転させたとする。
このとき、ギヤ２１に噛合するギヤ２２は時計方向に回転し、前記ギヤ２１と同軸上に設けられるワンウエイクラッチ２３は反時計方向に回る、
ギヤ２２と同軸上に設けられるワンウエイクラッチ２４は滑り、
ワンウエイクラッチ２３と同軸上に設けられ、これと一体回転するギヤ２５は反時計回りに回転し、ギヤ２７を時計回り方向に回転させる。
ワンウエイクラッチ２４と同軸上に設けられ、これと一体回転するギヤ２６は後述するように、ギヤ２７によって反時計回りに回転するが、ワンウエイクラッチ２４が滑るのでこの動作は許容される。
各ギヤ２５、２６の両方に噛合するギヤ２７は時計方向に回転され、これと一体回転するファン１１は時計方向に回転する。
【００２６】
本実施は以上の如きもので、プラテンローラ３が順方向、逆方向のどちらに回転してもファン１１が同じ方向に回転するので、図中に白抜き矢印で示した方向に、連続する空気の流れを生じさせることができ、効率よく冷却することができる。
【００２７】
次に、図５に第三の実施例にかかるラベルプリンタを示してその動作を説明する。
本実施例の特徴とするところは、前記第二の実施例にトルクリミッタ３０を介してゼンマイ３１を設け、このゼンマイによってファン１１を回転させるよう構成したことにある。
【００２８】
トルクリミッタ３０は、回転変換機構２０がゼンマイ３１を巻ききった状態で空転し、ゼンマイ３１を壊さないために設けたるものである。
そして、プリンタ１は、プラテンローラ３が正方向、逆方向いずれの方向にも回転しない状態でも、巻かれたゼンマイ３１によってある程度の時間、ファン１１を回転させることができる。
【００２９】
なお、上記実施例では、回転軸方向に離間するワンウエイクラッチ、各歯車、トルクリミッタ等の構成要素を説明のため離して図示したが、これらは配置の便利なように一体化してもよい。
【００３０】
また、クラッチとして爪クラッチを図示したが、ばねクラッチ等、慣用公知の技術手段を用いることができる。
【符号の説明】
【００３１】
１…ラベルプリンタ、２…プリンタ筐体、３…プラテンローラ、６…モータ、７，８，９…駆動機構（ギヤ）、１１…ファン、１２…電池、２０…回転変換機構、２１，２２，２５，２６，２７…ギヤ、２３，２４…ワンウエイクラッチ、３０…トルクリミッッタ、３１…ゼンマイ
【図１】
2013223984.tif 000003
【図２】
2013223984.tif 000004
【図３】
2013223984.tif 000005
【図４】
2013223984.tif 000006
【図５】
2013223984.tif 000007